(57)【要約】【課題】電力供給の安全性を判断することが可能な可搬型給電装置を提供すること。【解決手段】可搬型給電装置３００は、供給判断部３１４、調整部３１６を備える。供給判断部３１４は、出力部３０４に利用装置４００側のコネクタ４０４が接続されており、且つ利用装置４００側が出力部３０４から出力される交流電力を受け入れ可能な状態である場合に交流電力を供給すると判断する。調整部３１６は、供給判断部３１４が利用装置４００側に交流電力を供給すると判断した場合に、交流電力を利用装置４００側に出力する。【選択図】図２
2016220282.tif 000002
【特許請求の範囲】
【請求項１】
持ち運び可能であり、車両に搭載された蓄電装置から入力された電力を前記車両の外部に出力する可搬型給電装置（３００）であって、
前記車両に接続された状態で前記蓄電装置から直流電力が入力される入力部（３０８）と、
前記直流電力を交流電力に変換する電力変換部（３１２）と、
前記交流電力を出力する出力部（３０４）と、
前記出力部から前記交流電力を利用する利用装置（４００）側に前記交流電力を供給するか否かの供給判断を実行する供給判断部（３１４）と、
前記供給判断部の判断結果に基づいて前記交流電力の出力を調整する調整部（３１６）と、を備え、
前記供給判断部は、前記出力部に前記利用装置側のコネクタ（４０４）が接続されており、且つ前記利用装置側が前記出力部から出力される前記交流電力を受け入れ可能な状態である場合に前記交流電力を供給すると判断し、
前記調整部は、前記供給判断部が前記利用装置側に前記交流電力を供給すると判断した場合に、前記交流電力を前記利用装置側に出力する、ことを特徴とする可搬型給電装置。
【請求項２】
前記供給判断部は、前記交流電力を前記利用装置側に供給する電力線（３１８ｃ，３１８ｄ）以外の信号線（３２０ａ，３２０ｂ，３２０ｃ）からの出力値に基づいて前記供給判断を実行する、ことを特徴とする請求項１に記載の可搬型給電装置。
【請求項３】
前記出力部に前記コネクタが接続された場合に前記信号線の抵抗値が変動するものである場合に、
前記供給判断部は、前記信号線の抵抗値が所定の変動量を超えた場合に、前記出力部に前記利用装置側のコネクタが接続されていると判断する、ことを特徴とする請求項２に記載の可搬型給電装置。
【請求項４】
前記利用装置側が前記出力部から出力される前記交流電力を受け入れ可能な場合に前記信号線の電位が変動するものである場合に、
前記供給判断部は、前記信号線の電位が所定の変動量を超えた場合に、前記利用装置側が前記交流電力を受け入れ可能と判断する、ことを特徴とする請求項２に記載の可搬型給電装置。
【発明の詳細な説明】
【技術分野】
【０００１】
本発明は、持ち運び可能であり、車両に搭載された蓄電装置から入力された電力を前記車両の外部に出力する可搬型給電装置に関する。
【背景技術】
【０００２】
環境に配慮した車両として、蓄電装置（たとえば二次電池やキャパシタなど）を搭載し、蓄電装置に蓄えられた電力から生じる駆動力を用いて走行する車両が注目されている。このような車両には、たとえば電気自動車、ハイブリッド自動車、燃料電池車などが含まれる。そして、これらの車両に搭載される蓄電装置を発電効率の高い商用電源などの車両外部の電源（以下、単に「外部電源」とも称する。）により充電（以下、単に「外部充電
」とも称する。）する技術が提案されている。
【０００３】
このような外部充電が可能な車両の利用方法の１つとして、非常時などに車両から逆に住宅側へ電力を供給し、住宅用電気機器の使用を可能にすることも検討されている。下記特許文献１では、車両から住宅へ電力を供給する際の安全性を高める１つの方法として、給電を強制的に停止するための機能を実装させた電力供給装置を提案している。
【先行技術文献】
【特許文献】
【０００４】
【特許文献１】特開２０１３−１８８０５１号公報
【発明の概要】
【発明が解決しようとする課題】
【０００５】
ところで、蓄電装置を備えた車両から外部給電を行う場合、上述した電力供給装置では可搬性が考慮されておらず、電力供給装置がある場所でのみ外部給電が可能となるので、可搬型の電力中継装置の需要も今後高まると予想される。蓄電装置は直流電力を発生させるものであることから、使用する電気機器が交流電力対応である場合、可搬型給電装置には、個々に直流電力から交流電力に電力変換を行うインバータといった電力変換部を設ける必要がある。
【０００６】
個々に電力変換部を備える可搬型給電装置を１つ又は複数使用する場合を想定すると、固定して設置される電力中継装置には電力変換部を設ける必要が無く、可搬型給電装置の電力出力部と家庭や店舗の分電盤とを繋ぐ役割のみが求められる。そうすると、安全判断機能を含む制御機能も可搬型給電装置が併せ持つことになり、可搬型給電装置側で安全性を判断する必要がある。
【０００７】
本発明はこのような課題に鑑みてなされたものであり、その目的は、電力供給の安全性を判断することが可能な可搬型給電装置を提供することにある。
【課題を解決するための手段】
【０００８】
上記課題を解決するために、本発明に係る可搬型給電装置は、持ち運び可能であり、車両に搭載された蓄電装置から入力された電力を前記車両の外部に出力する可搬型給電装置（３００）であって、前記車両に接続された状態で前記蓄電装置から直流電力が入力される入力部（３０８）と、前記直流電力を交流電力に変換する電力変換部（３１２）と、前記交流電力を出力する出力部（３０４）と、前記出力部から前記交流電力を利用する利用装置側に前記交流電力を供給するか否かの供給判断を実行する供給判断部（３１４）と、前記供給判断部の判断結果に基づいて前記交流電力の出力を調整する調整部（３１６）と、を備える。前記供給判断部は、前記出力部に前記利用装置側のコネクタ（４０４）が接続されており、且つ前記利用装置側が前記出力部から出力される前記交流電力を受け入れ可能な状態である場合に前記交流電力を供給すると判断する。前記調整部は、前記供給判断部が前記利用装置側に前記交流電力を供給すると判断した場合に、前記交流電力を前記利用装置側に出力する。
【０００９】
本発明によれば、供給判断部が、出力部にコネクタが接続されているか否かを判断するので、出力部にコネクタが接続されており、安全に出力部からコネクタに給電できる状態か否かを判断することができる。更に、供給判断部は、利用装置側が交流電力を受け入れ可能な状態であるか否かを判断するので、利用装置側に交流電力を供給した場合の安全性を判断することができる。調整部は、供給判断部が利用装置側に交流電力を供給すると判断した場合に、交流電力を利用装置側に出力するので、安全性の判断と連動させた電力供給が可能となる。
【発明の効果】
【００１０】
本発明によれば、電力供給の安全性を判断することが可能な可搬型給電装置を提供することができる。
【図面の簡単な説明】
【００１１】
【図１】図１は、本発明の実施形態に係る可搬型給電装置及びそれを利用する車両、電力中継スタンドを含む構成を示す図である。
【図２】図２は、図１に示される可搬型給電装置の内部構成を主に示す図である。
【図３】図３は、図１に示される可搬型給電装置の電力中継手順を示すフローチャートである。
【図４】図４は、図１に示される可搬型給電装置の内部構成を主に示す図である。
【図５】図５は、図１に示される可搬型給電装置の内部構成を主に示す図である。
【発明を実施するための形態】
【００１２】
以下、添付図面を参照しながら本発明の実施形態について説明する。説明の理解を容易にするため、各図面において同一の構成要素に対しては可能な限り同一の符号を付して、重複する説明は省略する。
【００１３】
図１に示されるように、本実施形態に係る可搬型給電装置３００は、車両１００に設けられた蓄電装置１０２から出力される直流電力を、利用装置である電力中継スタンド４００側に供給するためのものである。電力中継スタンド４００に供給された電力は、家屋２００にて用いられる。尚、本実施形態においては、車両１００から可搬型給電装置３００を経由して電力中継スタンド４００及び家屋２００に電力供給する場合を説明するので、図中矢印Ａ方向に電力供給する場合について説明するものである。
【００１４】
可搬型給電装置３００は、持ち運び可能であり、車両１００に搭載された蓄電装置１０２から入力された電力を車両１００の外部に出力するためのものである。可搬型給電装置３００は、本体部３０２と、インレット３０４（出力部）と、アース付きコンセント３０６と、コネクタ３０８（入力部）と、ケーブル３１０と、を備えている。
【００１５】
コネクタ３０８は、車両１００に設けられているインレット１０４に接続可能なように構成されている。コネクタ３０８をインレット１０４に差し込み、ロック状態となるまで挿入完了すると、蓄電装置１０２から電力を取り出すことができる。コネクタ３０８は、ケーブル３１０によって本体部３０２に繋がれている。従って、コネクタ３０８は、車両１００に接続された状態で蓄電装置１０２から直流電力が入力される入力部として機能している。
【００１６】
本体部３０２は、インレット３０４及びアース付きコンセント３０６を備えており、ケーブル３１０が繋がれている。本体部３０２は、リール状の回転体と、それを支える支持体とから構成されている。ケーブル３１０は、回転体が回転すると巻き取られるように繋がれており、ケーブル３１０を引き出すと回転体が逆回転するように構成されている。インレット３０４及びアース付きコンセント３０６は、回転体の側面に設けられており、ケーブル３１０の巻取りによって塞がれないように構成されている。
【００１７】
インレット３０４には、電力中継スタンド４００のコネクタ４０４が接続可能なように構成されている。コネクタ４０４をインレット３０４に差し込み、ロック状態となるまで挿入完了すると、蓄電装置１０２から取り出した電力を更に電力中継スタンド４００側に出力する準備が整えられる。
【００１８】
電力中継スタンド４００は、本体部４０２と、コネクタ４０４と、中継ケーブル４０６とを備えている。本体部４０２とコネクタ４０４とは、中継ケーブル４０６によって繋がれている。電力中継スタンド４００は、可搬型給電装置３００から出力される電力を家屋２００側に繋ぐ役割を担っている。
【００１９】
家屋２００には、分電盤２０２及びアース付きコンセント２０４が設けられている。分電盤２０２には、商用電力系統に繋がる電力線５００と、電力中継スタンド４００に繋がる中継ケーブル２０６とが繋がれている。
【００２０】
分電盤２０２は、メインブレーカ２０２ａと、系統切替ブレーカ２０２ｂとを備えている。メインブレーカ２０２ａは、電力線５００から供給される電力の遮断を行うためのブレーカである。系統切替ブレーカ２０２ｂは、電力線５００から供給される電力と、中継ケーブル２０６から供給される電力とのいずれかをアース付きコンセント２０４側に出力するかを切り替えるブレーカである。
【００２１】
続いて、図２を参照しながら説明を続ける。可搬型給電装置３００は、本体部３０２に、インレット３０４と、アース付きコンセント３０６と、ＡＣ／ＤＣ変換部３１２（電力変換部）と、制御部３１４（供給判断部）と、電力供給スイッチ３１６（調整部）と、を備えている。
【００２２】
ＡＣ／ＤＣ変換部３１２は電力変換部であって、コネクタ３０８を介して入力される直流電力を交流電力に変換する部分である。ＡＣ／ＤＣ変換部３１２には、ケーブル３１０内の電力線３１０ａが繋がっている。ＡＣ／ＤＣ変換部３１２には、電力線３１８ａ、電力線３１８ｂ、電力線３１８ｃ（電圧線）、及び電力線３１８ｄ（電圧線）が繋がっている。
【００２３】
電力線３１８ａ及び電力線３１８ｂは、ＡＣ／ＤＣ変換部３１２とアース付きコンセント３０６とを繋いでいる。電力線３１８ａには、電力供給スイッチ３１６を構成するスイッチ３１６ａが設けられている。電力線３１８ｂには、電力供給スイッチ３１６を構成するスイッチ３１６ｂが設けられている。スイッチ３１６ａ，３１６ｂは、制御部３１４からの指示信号に応じて開閉されるスイッチである。
【００２４】
電力線３１８ｃは、インレット３０４に設けられた端子３０４ａとＡＣ／ＤＣ変換部３１２とを繋いでいる。電力線３１８ｃには、電力供給スイッチ３１６を構成するスイッチ３１６ｃが設けられている。スイッチ３１６ｃは、制御部３１４からの指示信号に応じて開閉されるスイッチである。
【００２５】
電力線３１８ｄは、インレット３０４に設けられた端子３０４ｂとＡＣ／ＤＣ変換部３１２とを繋いでいる。電力線３１８ｄには、電力供給スイッチ３１６を構成するスイッチ３１６ｄが設けられている。スイッチ３１６ｄは、制御部３１４からの指示信号に応じて開閉されるスイッチである。
【００２６】
インレット３０４は、コネクタ４０４と嵌合されロックされる部分である。インレット３０４は、端子３０４ａと、端子３０４ｂと、端子３０４ｃと、端子３０４ｄと、端子３０４ｅとを有している。インレット３０４は、交流電力を電力中継スタンド４００及び家屋２００側に出力する出力部として機能している。
【００２７】
端子３０４ｃには、制御部３１４に繋がれている信号線３２０ａ（接地線）が繋がれている。端子３０４ｄには、制御部３１４に繋がれている信号線３２０ｂが繋がれている。端子３０４ｅには、制御部３１４に繋がれている信号線３２０ｃが繋がれている。
【００２８】
制御部３１４は、インレット３０４から交流電力を利用する電力中継スタンド４００及び家屋２００側に交流電力を供給するか否かの供給判断を実行する供給判断部として機能している。制御部３１４には、ケーブル３１０内の信号線３１０ｂが繋がっている。
【００２９】
制御部３１４は、ハードウェア的には、ＣＰＵ、ＲＯＭ、ＲＡＭなどから構成されるプロセッサとして構成される。制御部３１４は、機能的には供給判断部として機能するものであり、インレット３０４に電力中継スタンド４００側のコネクタ４０４が接続されており、且つ電力中継スタンド４００及び家屋２００側がインレット３０４から出力される交流電力を受け入れ可能な状態である場合に交流電力を供給すると判断する。
【００３０】
電力供給スイッチ３１６は、ハードウェア的には、スイッチ３１６ａと、スイッチ３１６ｂと、スイッチ３１６ｃと、スイッチ３１６ｄとを含むスイッチング素子の集合体として構成される。電力供給スイッチ３１６は、機能的には調整部として機能するものであり、供給判断部である制御部３１４の判断結果に基づいて交流電力の出力を調整するものである。
【００３１】
電力供給スイッチ３１６は、制御部３１４が電力中継スタンド４００及び家屋２００側に交流電力を供給すると判断した場合に、交流電力を電力中継スタンド４００及び家屋２００側に出力するようにスイッチ３１６ａ，３１６ｂ，３１６ｃ，３１６ｄを切り替える。
【００３２】
コネクタ４０４は、端子４０８ａと、端子４０８ｂと、端子４０８ｃと、端子４０８ｄと、端子４０８ｅとを有している。
【００３３】
端子４０８ａには、中継ケーブル４０６内の電力線４０６ａ（電圧線）が繋がっている。端子４０８ｂには、中継ケーブル４０６内の電力線４０６ｂ（電圧線）が繋がっている。端子４０８ｃには、中継ケーブル４０６内の信号線４０６ｃ（接地線）が繋がっている。端子４０８ｄには、中継ケーブル４０６内の信号線４０６ｄが繋がっている。
【００３４】
端子４０８ｅには、信号線４０６ｅが繋がっている。信号線４０６ｅは、信号線４０６ｃに繋がっている。信号線４０６ｅには、スイッチＳ１と抵抗Ｒ１とが並列に繋がれている部分と、その並列部分に対して抵抗Ｒ２が直列に繋がれている部分とが形成されている。
【００３５】
スイッチＳ１は、インレット３０４に対してコネクタ４０４が正規に挿入され、単に両者が電気的に繋がるのみならず機構的にも正規に挿入されロックがかかった場合に閉じられ、そうではない場合に開かれるように構成されている。
【００３６】
抵抗Ｒ１及び抵抗Ｒ２は、インレット３０４に対してコネクタ４０４が正規に挿入されロックがかかった状態を検出するための抵抗である。本実施形態の場合、抵抗Ｒ１は３３０Ω、抵抗Ｒ２は１５０Ωに設定されている。
【００３７】
インレット３０４とコネクタ４０４とを正規に嵌合させると、端子３０４ａと端子４０８ａとが対応し、端子３０４ｂと端子４０８ｂとが対応し、端子３０４ｃと端子４０８ｃとが対応し、端子３０４ｄと端子４０８ｄとが対応し、端子３０４ｄと端子４０８ｄとが対応する。
【００３８】
電力中継スタンド４００の本体部４０２内には、ＡＣ／ＡＣ変換部４１０が設けられている。ＡＣ／ＡＣ変換部４１０は、単相２線の交流電力を単相３線の交流電力に変換する部分である。ＡＣ／ＡＣ変換部４１０は、端子４０２ａと、端子４０２ｂと、端子４０２ｆと、端子４０２ｇと、端子４０２ｈとに繋がっている。
【００３９】
端子４０２ａには、中継ケーブル４０６内の電力線４０６ａ（電圧線）が繋がっている。端子４０２ｂには、中継ケーブル４０６内の電力線４０６ｂ（電圧線）が繋がっている。
【００４０】
端子４０２ｆには、中継ケーブル２０６内の電力線２０６ａ（電圧線）が繋がっている。端子４０２ｇには、中継ケーブル２０６内の電力線２０６ｂ（中性線）が繋がっている。端子４０２ｈには、中継ケーブル２０６内の電力線２０６ｃ（電圧線）が繋がっている。
【００４１】
上述した構成により、中継ケーブル４０６を通ってＡＣ／ＡＣ変換部４１０に入力された単相２線１００Ｖ又は単相２線２００Ｖの交流電力は、中継ケーブル２０６に単相３線２００Ｖの交流電力として供給される。
【００４２】
本体部４０２内には、端子４０２ｃと、端子４０２ｄとが設けられている。端子４０２ｃには、中継ケーブル４０６内の信号線４０６ｃ（接地線）が繋がれていると共に、中継ケーブル２０６内の信号線２０６ｄ（接地線）が繋がれている。信号線２０６ｄは、本体部４０２内において、接地線４０２ｅによって接地されている。
【００４３】
端子４０２ｄには、中継ケーブル４０６内の信号線４０６ｄが繋がれていると共に、中継ケーブル２０６内の信号線２０６ｅが繋がれている。
【００４４】
中継ケーブル２０６内の電力線２０６ａ（電圧線），２０６ｂ（中性線），２０６ｃ（電圧線）は、系統切替ブレーカ２０２ｂに繋がっている。中継ケーブル２０６内の信号線２０６ｄ（接地線），２０６ｅも、系統切替ブレーカ２０２ｂに繋がっている。
【００４５】
系統切替ブレーカ２０２ｂが、中継ケーブル２０６からの電力をアース付きコンセント２０４側に出力するようにクローズされている場合には、信号線２０６ｄと信号線２０６ｅとは短絡状態となるように構成されている。一方、系統切替ブレーカ２０２ｂが、中継ケーブル２０６からの電力をアース付きコンセント２０４側に出力しないようにオープンされている場合には、信号線２０６ｄと信号線２０６ｅとは開放状態となるように構成されている。
【００４６】
続いて、制御部３１４が電力供給スイッチ３１６を操作して電力供給する場合のフローについて図３を参照しながら説明する。
【００４７】
ステップＳＰ１０では、インレット３０４に対するコネクタ４０４の接続状態を監視する。図１に示された状態からコネクタ４０４をインレット３０４側に挿入し始めた状態を図４に示す。
【００４８】
図４に示される状態では、端子３０４ａと端子４０８ａとが接触し、端子３０４ｂと端子４０８ｂとが接触し、端子３０４ｃと端子４０８ｃとが接触し、端子３０４ｄと端子４０８ｄとが接触し、端子３０４ｅと端子４０８ｅとが接触している。インレット３０４に対してコネクタ４０４が完全に挿入されロックされた状態ではないので、スイッチＳ１は開いた状態になっている。
【００４９】
この状態では、信号線４０６ｃと端子４０８ｅとの間には、抵抗Ｒ１と抵抗Ｒ２とが直列に繋がれた状態となっている。本実施形態では抵抗Ｒ１の抵抗値は３３０Ωであり、抵抗Ｒ２の抵抗値は１５０Ωである。制御部３１４側で信号線３２０ａと信号線３２０ｃとの間に電圧を印加して電流値を計測し、抵抗値を求める。この求めた抵抗値が無限大であれば、図２に示されるような未接続状態である。一方、その求めた抵抗値が約４８０Ωであれば、図４に示されるような端子同士は接触しているものの非ロック状態であって、スイッチＳ１が開かれた状態ということが判断できる。
【００５０】
続いて、図４に示された状態からコネクタ４０４をインレット３０４側に更に挿入し、ロックがかかった状態を図５に示す。
【００５１】
図５に示される状態では、端子３０４ａと端子４０８ａとが接触し、端子３０４ｂと端子４０８ｂとが接触し、端子３０４ｃと端子４０８ｃとが接触し、端子３０４ｄと端子４０８ｄとが接触し、端子３０４ｅと端子４０８ｅとが接触している。インレット３０４に対してコネクタ４０４が完全に挿入されロックされた状態なので、スイッチＳ１は閉じた状態になっている。
【００５２】
この状態では、信号線４０６ｃと端子４０８ｅとの間においては、抵抗Ｒ２のみが繋がれたのと同等の状態となっている。制御部３１４側で信号線３２０ａと信号線３２０ｃとの間に電圧を印加して電流値を計測し、抵抗値を求める。この求めた抵抗値が約１５０Ωであれば、図５に示されるような端子同士は接触しており且つロック状態であって、スイッチＳ１が閉じられた状態ということが判断できる。
【００５３】
ステップＳＰ１０に続くステップＳＰ１２では、インレット３０４に対するコネクタ４０４の接続状態がしっかりロック状態となっているか否かを判断する。具体的には上述した抵抗値判定を用いて、ロック状態となっていればステップＳＰ１４の処理に進み、ロック状態となっていなければステップＳＰ１９の処理に進む。
【００５４】
ステップＳＰ１４では、分電盤２０２の状態を監視する。上述したように分電盤２０２の系統切替ブレーカ２０２ｂが、中継ケーブル２０６からの電力をアース付きコンセント２０４側に出力するようにクローズされている場合には、信号線２０６ｄと信号線２０６ｅとは短絡状態となるように構成されている。従って、制御部３１４側で、信号線３２０ａと信号線３２０ｂとの間の電位を計測し、短絡状態に対応する電位であれば、分電盤２０２側の準備ができていると判断する。
【００５５】
一方、系統切替ブレーカ２０２ｂが、中継ケーブル２０６からの電力をアース付きコンセント２０４側に出力しないようにオープンされている場合には、信号線２０６ｄと信号線２０６ｅとは開放状態となるように構成されている。従って、制御部３１４側で、信号線３２０ａと信号線３２０ｂとの間の電位を計測し、開放状態に対応する電位であれば、分電盤２０２側の準備ができていると判断する。
【００５６】
ステップＳＰ１４に続くステップＳＰ１６では、分電盤２０２の状態が中継ケーブル２０６側からの電力受入準備が完了した状態か否かを判断する。具体的には上述した電位判定を用いて、クローズ状態となっていて電力受入準備が完了していればステップＳＰ１８の処理に進み、オープン状態となっていて電力受入準備が完了していなければステップＳＰ１９の処理に進む。
【００５７】
ステップＳＰ１８では、制御部３１４は電力供給スイッチ３１６に対して、スイッチ３１６ｃ及びスイッチ３１６ｄを閉じるように指示信号を出力する。この場合、スイッチ３１６ａ及びスイッチ３１６ｄを開いて、電力線３１８ａ及び電力線３１８ｂ側には電力を供給しないようにする。ステップＳＰ１８の処理が終了すると、ステップＳＰ２０の処理に進む。
【００５８】
ステップＳＰ１９では、制御部３１４は電力供給スイッチ３１６に対して、スイッチ３１６ａ及びスイッチ３１６ｂを閉じるように指示信号を出力する。この場合、スイッチ３１６ｃ及びスイッチ３１６ｄを開いて、電力線３１８ｃ及び電力線３１８ｄ側には電力を供給しないようにする。ステップＳＰ１９の処理が終了すると、ステップＳＰ２０の処理に進む。
【００５９】
ステップＳＰ２０では、電力供給が終了したか否かを判断する。電力供給が終了したと判断すればステップＳＰ２２の処理に進む。ステップＳＰ２２では、制御部３１４は電力供給スイッチ３１６に対して、スイッチ３１６ａ、スイッチ３１６ｂ、スイッチ３１６ｃ及びスイッチ３１６ｄを開くように指示信号を出力する。
【００６０】
上述したように、制御部３１４は、交流電力を電力中継スタンド４００及び家屋２００側に供給する電力線３１８ｃ，３１８ｄ以外の信号線３２０ａ，３２０ｂ，３２０ｃからの出力値に基づいて、インレット３０４に対するコネクタ４０４の接続状況を判断している。信号線３２０ａ，３２０ｂ，３２０ｃは、既存の信号線４０６ｃ，４０６ｄと繋がっており、それらの間の抵抗値や電位を取得するものなので、中継ケーブル４０６や中継ケーブル２０６に新たな信号線を追加せずとも接続状態や分電盤２０２の状態を把握することができる。
【００６１】
上述したように、インレット３０４にコネクタ４０４が接続された場合に信号線３２０ａと信号線３２０ｃとの間の抵抗値が変動するように構成されている。制御部３１４は、信号線３２０ａと信号線３２０ｃとの間の抵抗値が所定の変動量を超えた場合（無限大から４８０Ωに変動、４８０Ωから１５０Ωに変動）、インレット３０４にコネクタ４０４が接続されていると判断している。信号線の間に抵抗Ｒ１，Ｒ２を上記説明の通り配置し、ロック状態を検知するスイッチＳ１と組み合わせるという簡単な手法で、インレット３０４とコネクタ４０４との接続状態を検出することができる。
【００６２】
上述したように、利用装置側である分電盤２０２の系統切替ブレーカ２０２ｂが、中継ケーブル２０６側からの電力を受け入れ可能なように切り替えられていれば、信号線３２０ａと信号線３２０ｂとの間が短絡するように構成されている。従って、可搬型給電装置３００側から出力される交流電力を受け入れ可能な場合に信号線３２０ａと信号線３２０ｂとの間の電位が変動するように構成されている。制御部３１４は、信号線３２０ａと信号線３２０ｂとの間の電位が所定の変動量を超えた場合に、利用装置側である家屋２００側が交流電力を受け入れ可能と判断することができる。
【符号の説明】
【００６３】
３００：可搬型給電装置
３０４：インレット（出力部）
３０８：コネクタ（入力部）
３１２：ＡＣ／ＤＣ変換部（電力変換部）
３１４：制御装置（供給判断部）
３１６：電力供給スイッチ（調整部）
４００：電力中継スタンド（利用装置）
４０４：コネクタ
３１８ｃ，３１８ｄ：電力線
３２０ａ，３２０ｂ，３２０ｃ：信号線
【図１】
2016220282.tif 000003
【図２】
2016220282.tif 000004
【図３】
2016220282.tif 000005
【図４】
2016220282.tif 000006
【図５】
2016220282.tif 000007